(57)【要約】      （修正有）【課題】長さの異なる２種類のワイヤハーネスに対して１種類のワイヤハーネスを共用でき、長さ変更を容易に行い得るバンドクリップおよびワイヤハーネスを提供する。【解決手段】支持パネル８０に係止されるクリップ部と、ワイヤハーネスを保持するバンド部２２と、を夫々有する第１および第２のバンドクリップ本体２０、３０と、それらを所定間隔離れかつクリップ部同士が同じ側になるよう連結する帯状連結体４０と、各バンド部に一体に設けられ、両クリップ部が互いに反対側に位置するように、ワイヤハーネスをＵ字状に折り返したときに互いに連結する連結手段５０、６０とを備える。帯状連結体４０は、両端部を結ぶ線に対して長さ中央部が片側に所要寸法離れた非直線形に形成され、かつ、長さ中央部にヒンジを有し、Ｕ字状に折り返したときにヒンジより二つ折り状態になり、ワイヤハーネスのＵ字状部分の側方に位置する。【選択図】図１
2017108500.tif 000002
【特許請求の範囲】
【請求項１】
支持パネルの取付孔に係止されるクリップ部と、前記クリップ部と一体で設けられ、ワイヤハーネスを一巻きした状態に保持するバンド部と、をそれぞれ有する第１のバンドクリップ本体および第２のバンドクリップ本体と、
帯板状に形成され、両端部が、前記各バンド部と一体に設けられ、前記第１のバンドクリップ本体と前記第２のバンドクリップ本体とを、所定間隔離れかつ前記クリップ部同士が同じ側になる平行状態となるように連結する帯状連結体と、
前記各バンド部に一体に設けられ、前記両バンド部が前記ワイヤハーネスの前記所定間隔離れた二ヶ所をそれぞれ一巻きした状態に保持し、前記両クリップ部が互いに反対側に位置するように、前記ワイヤハーネスの前記両バンド部間の部分をＵ字状に折り返した状態になるときに互いに連結する一対の連結手段と、を備え、
前記帯状連結体は、前記両端部を結ぶ線に対して長さ中央部が片側に所要寸法離れた非直線形に形成されかつ前記長さ中央部にヒンジを有し、前記Ｕ字状に折り返した状態になるときに、前記ヒンジより二つ折り状態になり、前記ワイヤハーネスの前記Ｕ字状の部分の側方に位置する、ことを特徴とするバンドクリップ。
【請求項２】
請求項１に記載の前記帯状連結体の前記両端部を結ぶ線に対して線対称となるように、両端部が、前記両端部と一体であるか、または隣接している第２の帯状連結体を更に有することを特徴とする請求項１に記載のバンドクリップ。
【請求項３】
請求項１または２に記載のバンドクリップで電線群の二ヶ所を保持したことを特徴とするワイヤハーネス。
【発明の詳細な説明】
【技術分野】
【０００１】
本発明は、ワイヤハーネスの長さ調整機構を有するバンドクリップおよびワイヤハーネスに関する。
【背景技術】
【０００２】
従来、自動車用のワイヤハーネスは、車両レイアウト等に適合したルートで配索され、車両レイアウトが異なる車種では、異なる長さのワイヤハーネスが用いられるのが一般的である。
【０００３】
例えば、図６に示すように、電線の構成や外装仕様等が途中まで同じで、以降の長さのみ異なる２種類のワイヤハーネス１００、１１０がそれぞれ別の車種に使用される場合がある。図６のワイヤハーネス１００は、複数の被覆電線７０の端部にコネクタ７４が取り付けられ、中間にコルゲートチューブ７２およびバンドクリップ１２０、１３０が外装されている。一方、ワイヤハーネス１１０は、バンドクリップ１２０までは構成が同一で、バンドクリップ１２０からコネクタ７４までの長さがＬだけ短く、バンドクリップ１３０も外装されていない。
【０００４】
このように電線構成、外装構成等の基本構成が途中まで同じで、以降の長さ等が異なる２種類のワイヤハーネス１００、１１０を共用できればワイヤハーネスの品番を共通にでき管理コストが抑えることができる。このため、共用化のために種々の対策がとられてきた（例えば、特許文献１参照）。
【０００５】
特許文献１には、図７に示すように、２つのクリップ１１１ａ、１１１ｂが離間して外装され、それらの間に余長部を吸収する保持具１１２が取付けられたワイヤハーネスＷが開示されている。この保持具１１２は、弾性を有する環状部１１３と、その外面より対向して延在する平板状の第１テープ巻固定部１１４および第２テープ巻固定部１１５とを備え、ワイヤハーネスＷの余長部１１０の両端を第１テープ巻固定部１１４および第２テープ巻固定部１１５にテープ巻１１６、１１７で固定している。
【先行技術文献】
【特許文献】
【０００６】
【特許文献１】特開平１１−１８２５７号公報
【発明の概要】
【発明が解決しようとする課題】
【０００７】
しかしながら、特許文献１に記載のワイヤハーネスの長さ調整機構にあっては、図７に示すように、クリップ１１１ａ、１１１ｂとは別に保持具１１２を設け、ワイヤハーネスの余長部１１０の両端をテープ巻１１６、１１７で固定している。このため、短尺用を長尺用に変更する場合には、テープ巻き１１６、１１７を解く必要があり、手間が掛かり長さ変更作業が効率的でなかった。
【０００８】
本発明は、上述のような課題を解決するためになされたもので、長さの異なる２種類のワイヤハーネスに対して１種類のワイヤハーネスを共用することができるとともに、長さの変更を容易に行うことができる長さ調整機構付きのバンドクリップおよびワイヤハーネスを提供することを目的とする。
【課題を解決するための手段】
【０００９】
本発明に係るバンドクリップは、上記目的達成のため、支持パネルの取付孔に係止されるクリップ部と、前記クリップ部と一体で設けられ、ワイヤハーネスを一巻きした状態に保持するバンド部と、をそれぞれ有する第１のバンドクリップ本体および第２のバンドクリップ本体と、帯板状に形成され、両端部が、前記各バンド部と一体に設けられ、前記第１のバンドクリップ本体と前記第２のバンドクリップ本体とを、所定間隔離れかつ前記クリップ部同士が同じ側になる平行状態となるように連結する帯状連結体と、前記各バンド部に一体に設けられ、前記両バンド部が前記ワイヤハーネスの前記所定間隔離れた二ヶ所をそれぞれ一巻きした状態に保持し、前記両クリップ部が互いに反対側に位置するように、前記ワイヤハーネスの前記両バンド部間の部分をＵ字状に折り返した状態になるときに互いに連結する一対の連結手段と、を備え、前記帯状連結体は、前記両端部を結ぶ線に対して長さ中央部が片側に所要寸法離れた非直線形に形成されかつ前記長さ中央部にヒンジを有し、前記Ｕ字状に折り返した状態になるときに、前記ヒンジより二つ折り状態になり、前記ワイヤハーネスの前記Ｕ字状の部分の側方に位置する構成である。
【００１０】
この構成により、短尺のワイヤハーネスとして使用する場合に、特許文献１の保持具のような別部品を用いることなく、ワイヤハーネスの構成品であるバンドクリップ本体に設けられた第１および連結手段を使用して簡単に余長を吸収することができる。これにより、長さの異なる２種類のワイヤハーネスに対して１種類のワイヤハーネスを共用することができ、品番を共通化することができるので、管理コストを低減することができる。
【００１１】
上記の帯状連結体の前記両端部を結ぶ線に対して線対称となるように、両端部が、前記両端部と一体であるか、または隣接している第２の帯状連結体を更に有する構成としてもよい。
【００１２】
この構成により、第１のバンドクリップ本体と第２のバンドクリップ本体とを安定して連結することができ、かつ連結強度を高めることができる。
【００１３】
本発明に係るワイヤハーネスは、上記目的達成のため、バンドクリップで電線群の二ヶ所を保持した構成である。
【００１４】
この構成により、第１のバンドクリップ本体および第２のバンドクリップ本体の両クリップ部が互いに反対側に位置するように、各バンド部でワイヤハーネスの所定間隔離れた二ヶ所をそれぞれ一巻きに保持した状態と、ワイヤハーネスの両バンド部間の部分をＵ字状に折り返した状態になるときに一対の連結手段を互いに連結する状態との、長さの異なる２種類のワイヤハーネスとして使用できる。
【発明の効果】
【００１５】
本発明によれば、長さの異なる２種類のワイヤハーネスに対して１種類のワイヤハーネスを共用することができるとともに、長さの変更を容易に行うことができる長さ調整機構付きのバンドクリップおよびワイヤハーネスを提供することができる。
【図面の簡単な説明】
【００１６】
【図１】本発明の実施の形態に係るバンドクリップが外装され短尺状態となっているワイヤハーネスが、支持パネルに取付けられた状態を示す説明図である。
【図２】図１のＡ−Ａ断面図である。
【図３】本発明の実施の形態に係るバンドクリップが外装され長尺状態となっているワイヤハーネスが、支持パネルに取付けられた状態を示す説明図である。
【図４】本発明の実施の形態に係るバンドクリップの平面図である。
【図５】図１のＢ部の拡大断面図である。
【図６】共用化する長短２種類のワイヤハーネスを示す説明図である。
【図７】特許文献１のワイヤハーネスを示す説明図である。
【発明を実施するための形態】
【００１７】
以下、本発明の実施の形態に係るバンドクリップおよびワイヤハーネスについて図面を参照して説明する。
【００１８】
図４に示すように、この実施の形態に係るバンドクリップ１０は、第１のバンドクリップ本体２０と、第２のバンドクリップ本体３０と、帯状連結体４０と、連結手段である雄型連結部５０および雌型連結部６０と、を備えている。
【００１９】
バンドクリップ１０は、耐久性、耐候性、耐熱性、耐寒性、適度の剛性および肉厚調整や長さ効果により適度の可撓性を有する樹脂製成形体からなり、例えば、ポリアミド、ポリエステル、ポリプロピレン等から選ばれる。
【００２０】
バンドクリップ１０は、自動車のボディーまたはドア等のモジュールを構成する支持パネル８０の取付孔８０ａに係止され、他のクリップ等と協働してワイヤハーネスＷを複数箇所で部分的に拘束することで、ワイヤハーネスＷの配索経路を規制する。
【００２１】
ワイヤハーネスＷは、例えば、端部にコネクタ７４が取付けられた複数の被覆電線７０と、複数の被覆電線７０に外装されたコルゲートチューブ７２と、コルゲートチューブ７２に取付けられたバンドクリップ１０と、を備えている。各被覆電線７０は、径が小さい銅線の束である導線と、導線を被覆するポリ塩化ビニル（ＰＶＣ）などの絶縁被覆材と、を有している。なお、導線は、径が大きい１本の銅線等であってもよい。また、導線は、アルミニウム線であってもよい。
【００２２】
第１のバンドクリップ本体２０は、支持パネル８０の取付孔８０ａに係止されるクリップ部２５と、クリップ部２５と一体で設けられ、ワイヤハーネスＷを一巻きした状態に保持するバンド部２２と、を有している。
【００２３】
具体的には、クリップ部２５は、皿部２４と、皿部２４の凹面中央部より突出しているステム２６と、ステム２６の先端より一体に設けられたフック部２７と、を備えている。
【００２４】
皿部２４は、ステム２６側が凹状になった皿形状を有している。ワイヤハーネスＷを保持した状態でバンドクリップ１０を車両の支持パネル８０に取り付ける場合、皿部２４の周縁が取付孔８０ａを取り囲んだ状態で支持パネル８０の表面に当接させて、皿部２４とフック部２７との間で支持パネル８０を挟持した状態としている。
【００２５】
ステム２６は、皿部２４の凹面中央部より一体に突出され、取付時に、支持パネル８０に形成された取付孔８０ａに進入する。
【００２６】
フック部２７は、一端部がステム２６の先端部に一体に固定され中途部が互いに離れかつステム２６から離れるように皿部２４の方向に延びていて、他端部には取付時に取付孔８０ａの周縁に係合する複数の係止爪２７ａを有し、全体として碇形に形成されている。なお、フック部２７は、係止爪を３〜６個有する構成であってもよい。
【００２７】
フック部２７は、取付時に、取付孔８０ａに挿通され、複数の係止爪２７ａが取付孔８０ａの孔面に摺接しつつ縮径することにより取付孔８０ａを通過し、通過時点で、拡径して支持パネル８０の皿部２４が密着する面と反対側の面の取付孔８０ａの周縁に係合するようになっている。
【００２８】
バンド部２２は、皿部２４の凹面の反対側の凸面中央部に設けられたベース部２３と、ベース部２３の一側面より延在し、ワイヤハーネスＷを一巻きしてベース部２３に固着されるバンド本体２１と、を有している。ベース部２３は、バンド挿通孔２３ａを有し、かつバンド挿通孔２３ａ内にバンド係止爪２３ｂを有している。バンド本体２１は、バンド挿通孔２３ａに通される長さ範囲に係止される係止溝２１ａを有している。これにより、バンド部２２は、バンド本体２１でワイヤハーネスＷを一巻き締めした状態に保持することができる。
【００２９】
バンドクリップ１０は、このようにフック部２７の各係止爪２７ａが支持パネル８０の皿部２４が密着する面と反対側の面の取付孔８０ａの周縁に係止したとき、フック部２７が取付孔８０ａから脱出不能となるように構成されている。図１に示すように、バンドクリップ１０は、バンド部２２がワイヤハーネスＷを保持し、フック部２７が取付孔８０ａに係止される。
【００３０】
第２のバンドクリップ本体３０は、第１のバンドクリップ本体２０と同様の構造を有しており、支持パネル８０の取付孔８０ａに係止されるクリップ部３５と、クリップ部３５と一体で設けられ、ワイヤハーネスＷを一巻きした状態に保持するバンド部３２と、を有している。
【００３１】
帯状連結体４０は、第１のバンドクリップ本体２０および第２のバンドクリップ本体３０がクリップ部２５、３５同士が同じ側になるように平行状態で両バンド部２２、３２を所定間隔離れた状態に連結して設けられ、両端部を結ぶ線に対して長さ中央部が片側に所要寸法（Ｍ）離れかつ長さ中央部にヒンジ４２を有する、非直線形の帯板状に形成されている（図４参照）。また、図１に示すように、帯状連結体４０は、両バンド部２２、３２がワイヤハーネスＷを上記所定間隔で保持してワイヤハーネスＷの両バンド部間の部分をＵ字状に折り返したときに、ヒンジ４２で二つ折り状態になるとともに、ワイヤハーネスＷの上記Ｕ字状の部分の側方に位置するよう構成されている。
【００３２】
具体的には、帯状連結体４０は、両端部を結ぶ線に対して長さ中央部が片側に所要寸法（Ｍ）離れているが、この所要寸法は、ワイヤハーネスＷの半径より大きい。この構成により、帯状連結体４０は、両端部を結ぶ線に対して長さ中央部が片側にワイヤハーネスＷの半径より大きい寸法離れるので、二つ折り状態の帯状連結体４０がＵ字状に折り返されたワイヤハーネスＷと干渉することを確実に回避することができる。
【００３３】
雄型連結部５０および雌型連結部６０は、両バンド部２２、３２の帯状連結体４０が連結された部分に一体で設けられている。また、雄型連結部５０および雌型連結部６０は、両バンド部２２、３２がワイヤハーネスＷを上記所定間隔で保持してワイヤハーネスＷの両バンド部２２、３２間の部分をＵ字状に折り返したときに、第１および第２のバンドクリップ本体２０、３０がクリップ部２５、３５同士が反対側になるように直列状態で両バンド部２２、３２を連結するよう構成されている。
【００３４】
具体的には、例えば、図５に示すように、第１のバンドクリップ本体２０のバンド部２２に設けられた凸部５０ａと、第２のバンドクリップ本体３０のバンド部３２に設けられた凹部６０ａと、が係合することにより、両バンド部２２、３２を連結するよう構成されている。凸部５０ａと凹部６０ａを係合させる代わりに、テープ巻きにより固定してもよい。また、雄型連結部５０および雌型連結部６０は、二つ折りされたときに対向するように、帯状連結体４０の両端部に設けてもよい。
【００３５】
また、両バンド部２２、３２の帯状連結体４０が連結された部分は、各バンド部２２、３２の基部からワイヤハーネスＷの外周長の半分の長さ離れた部分である。この構成により、第１および第２のバンドクリップ本体２０、３０をワイヤハーネスＷに取付けたとき、帯状連結体４０、雄型連結部５０および雌型連結部６０を、確実にそれぞれの第１および第２のバンドクリップ本体２０、３０のクリップ部２５、３５の反対側に位置するようにでき、また、ワイヤハーネスＷを短尺にするためにＵ字状に折り返したとき、第１および第２のバンドクリップ本体２０、３０を、確実にクリップ部２５、３５同士が反対側になるように直列状態にすることができる。
【００３６】
具体的には、帯状連結体４０の両端部を結ぶ線に対して線対称となるように、第２の帯状連結体４１が設けられ、第２の帯状連結体４１の両端部が帯状連結体４０の両端部と一体に形成されている。第２の帯状連結体４１の長さ中央部にもヒンジ４２が設けられている。帯状連結体４０と第２の帯状連結体４１とは、長さ中央部で間隔が広くなるように対向して設けられている。
【００３７】
この構成により、帯状連結体４０の強度を高めることができるので、第１および第２のバンドクリップ本体２０、３０を所定間隔離れた状態に確実に連結することができる。
【００３８】
なお、図４では、帯状連結体４０と第２の帯状連結体４１とを有した構成としているが、片側だけ、すなわち、帯状連結体４０および第２の帯状連結体４１のいずれか一方のみの構成としてもよい。
【００３９】
次に、バンドクリップ１０の長さ調整機構について説明する。
図３は、長い（長尺）状態のワイヤハーネスＷを支持パネル８０に取付けた状態を示す。一方、ワイヤハーネスＷの両バンド部２２、３２間の部分をＵ字状に折り返し、両バンド部２２、３２を雄型連結部５０および雌型連結部６０で連結することにより、図１に示す短い（短尺）状態のワイヤハーネスＷに変更することができる。図１は、短尺状態のワイヤハーネスＷを支持パネル８０に取付けた状態を示す。このように、短尺の状態のワイヤハーネスＷでは、帯状連結体４０は、ヒンジ４２で二つ折り状態になるとともに、ワイヤハーネスＷのＵ字状の部分の側方に位置している。また、雄型連結部５０および雌型連結部６０は、第１および第２のバンドクリップ本体２０、３０がクリップ部２５、３５同士が反対側になるように直列状態で両バンド部２２、３２を連結している。
【００４０】
このように、バンドクリップ１０の長さ調整機構により、ワイヤハーネスＷの長さを変更することで、図６に示すように長さのみ異なる２種類のワイヤハーネスを、１種類のワイヤハーネスで共用できるようになっている。
【００４１】
次に、作用・効果について説明する。
本実施の形態に係るバンドクリップ１０では、短尺のワイヤハーネスＷとして使用する場合に、特許文献１の保持具のような別部品を用いることなく、ワイヤハーネスＷの構成品である第１および第２のバンドクリップ本体２０、３０に設けられた帯状連結体４０と、雄型連結部５０および雌型連結部６０とを使用して簡単に余長を吸収することができる。これにより、長さの異なる２種類のワイヤハーネスに対して１種類のワイヤハーネスを共用することができ、品番を共通化することができるので、管理コストを低減することができる。
【００４２】
また、帯状連結体４０は、第１および第２のバンドクリップ本体２０、３０の両バンド部２２、３２を所定間隔離れた状態に連結して設けられているので、ワイヤハーネスＷに第１および第２のバンドクリップ本体２０、３０を取付ける場合に、両者の間の距離を測る必要がないので、組立効率がよい。さらに、帯状連結体４０により、第１および第２のバンドクリップ本体２０、３０がクリップ部２５、３５同士が同じ側になるように平行状態になっているので、第１および第２のバンドクリップ本体２０、３０の方向を揃える手間が省け、組立効率がよい。
【００４３】
しかも、帯状連結体４０は、両端部を結ぶ線に対して長さ中央部が片側に所要寸法離れかつ長さ中央部にヒンジ４２を有する、非直線形の帯板状に形成されており、ワイヤハーネスＷを短尺にするためにＵ字状に折り返したとき、ヒンジ４２で二つ折り状態になるとともに、ワイヤハーネスＷのＵ字状の部分の側方に位置しているので、二つ折り状態の帯状連結体４０が障害となることもない。
【００４４】
本発明は、上記の実施の形態に限定されるものではなく、特許請求の範囲の技術的範囲には、発明の要旨を逸脱しない範囲内で、種々、設計変更した形態が含まれる。例えば、第２の帯状連結体４１の両端部を、第１の帯状連結体４０の両端部と一体に構成する代わりに、第１の帯状連結体４０の両端部に隣接して設けてもよい。
【００４５】
以上のように、本発明は、長さの異なる２種類のワイヤハーネスに対して１種類のワイヤハーネスを共用することができるとともに、長さの変更を容易に行うことができるという効果を有し、バンドクリップおよびこのバンドクリップを備えたワイヤハーネス全般に有用である。
【符号の説明】
【００４６】
１０  バンドクリップ
２２  バンド部
２０  第１のバンドクリップ本体
２５  クリップ部
３０  第２のバンドクリップ本体
４０  帯状連結体
４１  第２の帯状連結体
４２  ヒンジ
５０  雄型連結部（連結手段）
６０  雌型連結部（連結手段）
８０  支持パネル
８０ａ  取付孔
Ｗ  ワイヤハーネス
【図１】
2017108500.tif 000003
【図２】
2017108500.tif 000004
【図３】
2017108500.tif 000005
【図４】
2017108500.tif 000006
【図５】
2017108500.tif 000007
【図６】
2017108500.tif 000008
【図７】
2017108500.tif 000009